(57)【要約】【課題】複数の系統の空調設備によって複数の部屋の空調を行う施設において、稼働させる系統の数を低減することができる空調システム、部屋割り方法及び部屋割りプログラムを提供することである。【解決手段】実施形態の空調システムは、複数の部屋の空調を行う複数の系統の空調設備を持つ。前記部屋と、当該部屋が利用者に対し割り当て済みである場合に空きの複数の前記部屋の中から割り当てが優先して行われると予め定められている他の前記部屋とは、同一の前記系統の空調ダクトを用いる。【選択図】図１
2019138485.tif 000002
【特許請求の範囲】
【請求項１】
複数の部屋の空調を行う複数の系統の空調設備を備え、
前記部屋と、当該部屋が利用者に対し割り当て済みである場合に空きの複数の前記部屋の中から割り当てが優先して行われると予め定められている他の前記部屋とは、同一の前記系統の空調ダクトを用いる空調システム。
【請求項２】
前記空調設備は、空調機又は熱源機を含む、
請求項１に記載の空調システム。
【請求項３】
同一の前記系統の空調ダクトを用いる複数の前記部屋は、互いに隣接していない請求項１又は請求項２に記載の空調システム。
【請求項４】
複数の前記系統それぞれにより空調が行われる前記部屋を示す空調設備情報、及び、前記部屋が空きであるか割り当て済みであるかの割り当て状況を示す部屋割り情報を記憶する記憶部と、
前記空調設備情報及び前記部屋割り情報に基づいて、割り当て済みの前記部屋と同じ前記系統により空調が行われる空きの他の前記部屋を割り当て候補として選択する選択部とをさらに備える、
請求項１から請求項３のいずれか一項に記載の空調システム。
【請求項５】
前記選択部は、空調を行う対象の複数の前記部屋のうち所定割合以上が割り当て済みの前記系統がある場合、所定割合以上が割り当て済みの前記系統とは異なる前記系統により空調が行われる空きの前記部屋を割り当て候補とする、
請求項４に記載の空調システム。
【請求項６】
前記記憶部は、前記部屋それぞれの特徴を表す部屋詳細情報をさらに記憶し、
前記選択部は、前記割り当て候補が複数ある場合に、利用者に割り当てる部屋の条件を取得し、取得した前記条件と前記割り当て候補の前記部屋詳細情報とに基づいて、複数の前記割り当て候補のうち一部を選択する、
請求項４又は請求項５に記載の空調システム。
【請求項７】
前記記憶部は、割り当て済みの前記部屋の利用者の情報をさらに記憶し、
前記選択部は、前記割り当て候補が複数ある場合に、前記条件と、前記割り当て候補の前記部屋詳細情報と、割り当て済みの前記部屋の利用者の情報とに基づいて、複数の前記割り当て候補のうち一部を選択する、
請求項６に記載の空調システム。
【請求項８】
前記選択部は、稼働中の前記系統の情報と、前記部屋割り情報が示す前記部屋の割り当て状況と、前記割り当て候補とを表示部に表示する、
請求項４から請求項７のいずれか一項に記載の空調システム。
【請求項９】
複数の系統の空調設備を有する空調システムにより空調が行われる複数の部屋を利用者に割り当てる部屋割り方法であって、
前記部屋と、当該部屋が利用者に対し割り当て済みである場合に空きの複数の前記部屋の中から割り当てが優先して行われると予め定められている他の前記部屋とは、同一の前記系統の空調ダクトを用い、
複数の前記系統それぞれにより空調が行われる前記部屋を示す空調設備情報、及び、前記部屋が空きであるか割り当て済みであるかの割り当て状況を示す部屋割り情報に基づいて、割り当て済みの前記部屋と同じ前記系統により空調が行われる空きの他の前記部屋を割り当て候補として選択する、
部屋割り方法。
【請求項１０】
複数の系統の空調設備を有する空調システムにより空調が行われる複数の部屋を利用者に割り当てる部屋割りプログラムであって、
前記部屋と、当該部屋が利用者に対し割り当て済みである場合に空きの複数の前記部屋の中から割り当てが優先して行われると予め定められている他の前記部屋とは、同一の前記系統の空調ダクトを用い、
コンピュータに、複数の前記系統それぞれにより空調が行われる前記部屋を示す空調設備情報、及び、前記部屋が空きであるか割り当て済みであるかの割り当て状況を示す部屋割り情報に基づいて、割り当て済みの前記部屋と同じ前記系統により空調が行われる空きの他の前記部屋を割り当て候補として選択する選択ステップを実行させる、
部屋割りプログラム。
【発明の詳細な説明】
【技術分野】
【０００１】
本発明の実施形態は、空調システム、部屋割り方法及び部屋割りプログラムに関する。
【背景技術】
【０００２】
ホテルなどの宿泊施設で利用されている空調システムには、熱源機や空調機等の空調設備の系統を複数有するものがある。これら複数の系統のうち稼働させる系統の数を少なくすることにより、消費エネルギーの低減が見込める。しかし、宿泊に利用されている部屋数が少ない場合でも、それら各部屋の空調を行うために、稼働させる系統の数を低減できない場合があった。
【先行技術文献】
【特許文献】
【０００３】
【特許文献１】特開平１０−１７００３４号公報
【発明の概要】
【発明が解決しようとする課題】
【０００４】
本発明が解決しようとする課題は、複数の系統の空調設備によって複数の部屋の空調を行う施設において、稼働させる系統の数を低減することができる空調システム、部屋割り方法及び部屋割りプログラムを提供することである。
【課題を解決するための手段】
【０００５】
実施形態の空調システムは、複数の部屋の空調を行う複数の系統の空調設備を持つ。前記部屋と、当該部屋が利用者に対し割り当て済みである場合に空きの複数の前記部屋の中から割り当てが優先して行われると予め定められている他の前記部屋とは、同一の前記系統の空調ダクトを用いる。
【図面の簡単な説明】
【０００６】
【図１】実施形態の空調システムを示す構成図。
【図２】実施形態の管理装置の機能ブロック図。
【図３】実施形態の管理装置が表示する画面例を示す図。
【図４】実施形態の管理装置の処理を示すフロー図。
【発明を実施するための形態】
【０００７】
以下、実施形態の空調システム、部屋割り方法及び部屋割りプログラムを、図面を参照して説明する。
【０００８】
図１は、実施形態の空調システム１の構成図である。同図に示す空調システム１は、熱源機１１、空調機１２及び空調ダクト１３をそれぞれ複数備える。熱源機１１、空調機１２及び空調ダクト１３を総称して空調設備と記載する。熱源機１１は、所定温度の冷水又は温水（以下、「熱源水」と記載）を生成して空調機１２に送る。空調機１２は、熱源水と空調ダクト１３から取り込んだ還気との熱交換を行い、熱交換後の還気を空調ダクト１３により部屋２０に供給する。なお、部屋２０は、空調システム１を構成するものではない。
【０００９】
空調システム１は、複数の系統の空調設備により複数の部屋２０の空調を行う。同図は、空調システム１が、２つの系統を有する場合を示している。これら２つの系統を、系統Ａ、系統Ｂとする。同図では、系統Ａの熱源機１１、空調機１２及び空調ダクト１３をそれぞれ、熱源機１１ａ、空調機１２ａ及び空調ダクト１３ａと記載し、系統Ｂの熱源機１１、空調機１２及び空調ダクト１３をそれぞれ、熱源機１１ｂ、空調機１２ｂ及び空調ダクト１３ｂと記載している。また、以下では、Ｎ室の部屋２０をそれぞれ、部屋２０−１〜２０−Ｎと記載する。同図では、Ｎ＝１０の場合を例に示している。部屋２０−１〜２０−５と部屋２０−６〜２０−１０とは、廊下を挟んで並んだ配置である。
【００１０】
従来、宿泊施設の従業員は、騒音等考慮し、宿泊客が隣合わせにならないように、可能な限り部屋２０が互いに隣接しないチドリ状の配置となるように部屋割りを決定していた。例えば、従業員は、部屋２０−２が予約済みであり、他の部屋２０が空きである場合、次の予約には、部屋２０−４、２０−６、２０−８、２０−１０のいずれかを優先して割り当てていた。従業員がこれらの中から部屋２０−８を割り当てたとすると、次の予約には、部屋２０−４、２０−６、２０−１０のいずれかを割り当てる。そして、部屋２０−２、２０−４、２０−６、２０−８、２０−１０が全て予約済みとなった場合、これら予約済みの部屋２０と隣接した部屋２０−１、２０−３、２０−５、２０−７、２０−９の予約を開始する。
【００１１】
そこで、空調システム１は、宿泊施設が従来行っていた部屋割りの順序に則して、部屋２０−２、２０−４、２０−６、２０−８、２０−１０に対して１系統（系統Ｂ）で空調を行い、部屋２０−１、２０−３、２０−５、２０−７、２０−９に対して他の１系統（系統Ａ）で空調を行う。このように、部屋２０−ｉ（ｉは１以上Ｎ以下の整数）と、部屋２０−ｉが利用者に対し割り当て済みである場合に空きの中から優先して割り当てが行われる他の部屋２０−ｊ（ｊ≠ｉ；ｊは１以上Ｎ以下の整数）とは、隣接しておらず、かつ、同一の系統の空調ダクト１３が配管されており、同一の系統の空調設備により空調が行われる。また、部屋２０−ｉと隣接する部屋２０−ｋ（ｋ≠ｉ、ｊ；ｋは１以上Ｎ以下の整数）とは、異なる系統の空調ダクト１３が配管されており、異なる系統の空調設備により空調が行われる。なお、一つの系統により複数フロアの部屋２０の空調を行ってもよい。以下では、稼働中の系統の空調設備が空調の対象としている部屋２０を、稼働中の系統の部屋２０と記載し、稼働していない（停止中の）系統の空調設備が空調の対象としている部屋２０を、稼働していない（停止中の）系統の部屋２０と記載する。
【００１２】
図１では、１系統に熱源機１１及び空調機１２がそれぞれ１台ずつ備えられているが、１系統に備えられる熱源機１１及び空調機１２はそれぞれ複数台であってもよい。また、熱源機１１、空調機１２及び空調ダクト１３の系統は同一でなくてもよい。例えば、１系統の熱源機１１と複数系統の空調機１２及び空調ダクト１３とが対応してもよい。
【００１３】
管理装置５は、宿泊施設のフロントなどで使用される。管理装置５は、部屋割りと、宿泊者に関する情報の管理を行う。管理装置５は、稼働中の系統の部屋２０の部屋割りを優先して行った後に、停止中の系統の部屋２０の部屋割りを行う。管理装置５は、停止中の系統の部屋２０の部屋割りを行った場合に、空調システム１の空調設備を制御する制御装置１０に対して、その系統の空調設備の稼働を指示する。
【００１４】
図２は、管理装置５の構成を示す機能ブロック図である。管理装置５は、例えば、１台以上のコンピュータ装置により実現できる。管理装置５は、記憶部５１と、入力部５２と、表示部５３と、管理部５４とを備える。
【００１５】
記憶部５１は、空調設備情報、部屋詳細情報、部屋割り情報及び宿泊者情報を記憶する。空調設備情報は、空調設備の各系統が空調を行う部屋２０の部屋番号を示す。部屋詳細情報は、各部屋２０の部屋番号と、部屋の特徴とを対応付けた情報である。部屋の特徴は、例えば、客室タイプ（シングル、ツイン等）、禁煙、喫煙、階数、フロア内における位置（エレベータ付近、奥側等）、部屋の向き（海側、山側、南側、北側等）などであるがこれらに限定されない。
【００１６】
部屋割り情報は、各部屋２０の割り当て状況を示す。例えば、部屋割り情報は、各部屋２０の部屋番号と、宿泊日と、予約番号とを対応付けた情報である。予約番号が対応付けられた宿泊日は、部屋が割り当て済みであることを示し、予約番号が対応付けられていない、又は、空きを表す値が対応付けられている宿泊日は、空き部屋であることを示す。割り当て済みとは、予約済みである場合と、現在宿泊中である場合を含む。宿泊者情報は、予約番号、宿泊者の名前、連絡先、性別、年齢、宿泊日、大人・子供・性別毎の宿泊人数、部屋番号、希望する部屋の特徴などを示す。
【００１７】
入力部５２は、ユーザ操作による入力を行う装置である。入力部５２は、例えば、キーボード、ポインティングデバイス（マウス等）、ボタン、タッチパネル等の既存の入力装置を用いて構成される。なお、入力部５２は、管理装置５とネットワークを介して接続されるコンピュータ端末から送信された情報を入力してもよい。表示部５３は、ＣＲＴ（Cathode Ray Tube）ディスプレイ、液晶ディスプレイ、有機ＥＬ（Electro Luminescence）ディスプレイ等の画像表示装置である。
【００１８】
管理部５４は、選択部５４１と、登録部５４２と、指示部５４３と、情報収集部５４４と、情報出力部５４５とを有する。
選択部５４１は、空調設備情報及び部屋割り情報に基づいて、割り当て済みの部屋２０と同じ系統により空調が行われる空きの他の部屋２０を割り当て候補とする。選択部５４１は、選択された割り当て候補が複数ある場合、宿泊者に割り当てる部屋２０の条件を取得し、割り当て候補の部屋詳細情報と取得した条件とに基づいて、それら複数の割り当て候補からさらに一部を選択してもよい。宿泊者に割り当てる部屋２０の条件は、例えば、チェックイン時又は部屋の予約時に入力部５２により入力された宿泊者情報に基づいて得られる。選択部５４１は、所定割合以上の部屋２０が割り当て済みの系統がある場合、稼働中の又は停止中の他の系統の部屋２０を割り当て候補としてもよい。所定割合の上限は１００％であり、宿泊施設により任意に決定することができる。選択部５４１は、選択した割り当て候補の部屋２０の情報を表示部５３に表示する。
【００１９】
登録部５４２は、入力部５２により宿泊者へ割り当てる部屋２０の情報が入力された場合に、部屋割り情報を更新し、宿泊者情報を記憶部５１に登録する。指示部５４３は、登録部５４２が宿泊者のチェックイン時に現在稼働していない系統の部屋２０を割り当てた場合、制御装置１０に対して、その系統の空調設備の稼働を指示する。
【００２０】
情報収集部５４４は、所定時間毎に熱源機１１、空調機１２及び空調ダクト１３から、それらの電気、ガスなどの消費エネルギー量の情報を取得し、情報の取得日時と対応付けて記憶部５１に書き込む。情報収集部５４４は、これらの消費エネルギー量の情報を制御装置１０から取得してもよく、熱源機１１、空調機１２及び空調ダクト１３へのエネルギー供給に用いられる機器から取得してもよい。さらに、情報収集部５４４は、宿泊者が答えたアンケートの結果を示す情報を取得し、記憶部５１に書き込む。アンケート結果は、部屋２０の温度や湿度が快適であったかの快適性に関する評価を含む。
【００２１】
情報出力部５４５は、入力部５２により入力された期間における消費エネルギー量の情報と、各部屋２０の宿泊状況と、各部屋２０に宿泊した宿泊者のアンケート結果とを出力する。出力は、表示部５３への表示でもよく、管理装置５と接続されるコンピュータ端末への送信でもよく、記録媒体への書き込みでもよく、プリンタによる印刷でもよい。
【００２２】
図３は、割り当て候補の部屋を表示する画面の例を示す図である。同図では、熱源機１１、空調機１２及び空調ダクト１３の系統と、各系統が空調を行う部屋２０とその部屋番号が表示されている。登録部５４２は、稼働していない系統を、点線や、グレーなどの所定の色などの線で表示する。さらに、登録部５４２は、稼働していない系統の空調設備や部屋２０の領域をグレーなどの所定の色で表示する。
【００２３】
登録部５４２は、各部屋２０を表す領域に、割り当て済みであれば予約番号と、宿泊者情報の一部とを表示する。登録部５４２は、宿泊者情報の少なくとも一部を、文字情報により表示するほか、情報に応じた色で部屋２０の領域を表示してもよく、情報に応じた色や種類の線で部屋２０の領域を囲って表示してもよい。登録部５４２は、例えば、男性であれば青で、女性あればピンクで部屋２０の領域を表示する。
【００２４】
登録部５４２は、割り当て候補となる各部屋２０の領域を、割り当て候補であることを表す態様で表示する。例えば、登録部５４２は、割り当て候補の部屋２０を表す領域を緑などの所定の色で表示してもよく、所定の色の太枠で囲って表示してもよく、それら両方を用いて表示してもよい。登録部５４２は、割り当て候補となる各部屋２０の領域に、部屋詳細情報に設定されている部屋の特徴の情報の少なくとも一部をさらに表示する。登録部５４２は、割り当て候補ではない空きの部屋２０の領域にも、部屋の特徴の情報の少なくとも一部を表示してもよい。従業員は、所望の階の状況を表示させたいときには、キーボード等によりその階数を入力する。
【００２５】
登録部５４２は、入力された宿泊者情報を画面の上部に表示する。従業員は、部屋２０の割り当て状況と宿泊者情報とを確認し、割り当てを行う部屋２０を決定した場合、決定した部屋２０の領域をマウス等で選択するか、キーボード等により部屋番号を入力する。登録部５４２は、割り当て候補以外の部屋２０を割り当て可能としてもよく、割り当てできないようにしてもよい。
【００２６】
図４は、管理装置５の処理を表すフロー図である。同図では、宿泊者のチェックイン時に部屋割を行う場合を例に示している。
管理装置５の選択部５４１は、制御装置１０から現在稼働中の空調設備の系統の情報を取得する（ステップＳ１０５）。フロントの従業員は、入力部５２により宿泊者情報を入力する（ステップＳ１１０）。選択部５４１は、空調設備情報から現在稼働中の系統の部屋２０の部屋番号を取得し、取得した各部屋番号が設定された部屋割り情報を記憶部４１から読み出す。選択部５４１は、読み出した部屋割情報から宿泊者情報が示す宿泊日の宿泊状況を取得し、取得した宿泊状況に基づいて稼働中の系統の部屋２０に空き部屋があるか否かを判断する（ステップＳ１１５）。
【００２７】
選択部５４１は、稼働中の系統に空き部屋があると判断した場合（ステップＳ１１５：ＹＥＳ）、その空き部屋の宿泊者情報それぞれが示す部屋番号の部屋詳細情報を記憶部５１から読み出す。選択部５４１は、読み出した部屋詳細情報と、宿泊者情報から取得した条件とに基づいて、条件に合う空き部屋があるか否かを判断する（ステップＳ１２０）。例えば、選択部５４１は、宿泊者情報に設定されている部屋のタイプ「シングル」、「禁煙」、及び、希望する部屋の特徴「海側」を条件とする。選択部５４１は、読み出した部屋詳細情報にこの条件が設定されているものがある場合、条件に合う空き部屋があると判断する。
【００２８】
選択部５４１は、条件に合う空き部屋があると判断した場合（ステップＳ１２０：ＹＥＳ）、その条件に合う空き部屋を割り当て候補の部屋とする。選択部５４１は、割り当て候補の部屋の情報を表示部５３に表示する。具体的には、選択部５４１は、稼働中の系統の情報と、各部屋２０の部屋割り情報及び部屋詳細情報と、宿泊者情報と、割り当て候補の部屋の部屋番号とに基づいて、図３に示す画面を生成して表示部５３に表示する（ステップＳ１２５）。
【００２９】
従業員は、宿泊者に割り当てる部屋２０の情報を入力部５２により入力する（ステップＳ１３０）。登録部５４２は、割り当てられた部屋２０は稼働中の系統の部屋であるか否かを判断する（ステップＳ１３５）。登録部５４２は、割り当てられた部屋２０が現在稼働中の系統の部屋であると判断した場合（ステップＳ１３５：ＹＥＳ）、予約番号を割り当てる。登録部５４２は、割り当てられた部屋２０の部屋割り情報に、宿泊日と予約番号を登録する。宿泊日は、宿泊者情報から得られる。さらに、登録部５４２は、入力された宿泊者情報に予約番号を設定して記憶部５１に登録する（ステップＳ１４０）。
【００３０】
なお、登録部５４２は、割り当てられた部屋２０が稼働中の系統の部屋ではないと判断した場合（ステップＳ１３５：ＮＯ）、空調設備情報を参照して、割り当てられた部屋２０の空調を行う系統の熱源機１１、空調機１２及び空調ダクト１３を特定する。指示部５４３は、登録部５４２が特定した熱源機１１、空調機１２及び空調ダクト１３を稼働させる指示を制御装置１０に出力する（ステップＳ１４５）。制御装置１０は、管理装置５から受信した指示に従って、停止していた系統の熱源機１１、空調機１２及び空調ダクト１３を稼働させる。登録部５４２は、ステップＳ１４５の処理の後、あるいは、ステップＳ１４５の処理と並行してステップＳ１４０の処理を行う。
【００３１】
一方で、選択部５４１は、稼働中の系統に空き部屋がないと判断した場合（ステップＳ１１５：ＮＯ）、又は、稼働中の系統の空き部屋に条件に合うものがないと判断した場合（ステップＳ１２０：ＮＯ）、ステップＳ１５０の処理を行う。すなわち、選択部５４１は、稼働していない系統のうち未選択の系統があるか否かを判断する（ステップＳ１５０）。選択部５４１は、稼働していない未選択の系統があると判断した場合（ステップＳ１５０：ＹＥＳ）、そのうち１つの系統を選択する（ステップＳ１５５）。例えば、選択部５４１は、稼働していない未選択の系統のうち、停止してからの期間が最も長い系統を選択する。あるいは、現在から所定期間において、最も稼働している時間が短い系統を選択してもよい。また、あるいは、選択部５４１は、季節が夏であれば北側の部屋２０が他の系統よりも多く空調の対象となっている系統、冬であれば南側の部屋２０が他の系統よりも多く空調の対象となっている系統を優先して選択してもよい。
【００３２】
選択部５４１は、空調設備情報から、選択した系統の部屋２０の部屋詳細情報を記憶部５１から読み出す。選択部５４１は、読み出した部屋詳細情報と、入力された宿泊者情報から取得した条件とに基づいて、ステップＳ１２０と同様に条件に合う空き部屋があるか否かを判断する（ステップＳ１６０）。
【００３３】
選択部５４１は、条件に合う空き部屋があると判断した場合（ステップＳ１６０：ＹＥＳ）、その条件に合う空き部屋を割り当て候補の部屋とするステップＳ１２５以降の処理を行う。選択部５４１は、条件に合う空き部屋がないと判断した場合（ステップＳ１６０：ＮＯ）、稼働していない未選択の系統があるか否かを判断するステップＳ１５０からの処理を繰り返す。
【００３４】
選択部５４１は、稼働していない系統が全て選択済みであると判断した場合（ステップＳ１５０：ＮＯ）、割り当て候補となる部屋がない旨を表示部５３に表示する（ステップＳ１６５）。
【００３５】
上述した処理により、管理装置５は、既にチェックインされている部屋２０の部屋割りの状況に基づいて、稼働させる空調設備の系統をなるべく増加させないように、次にチェックインする宿泊者の部屋割りを行うことができる。これにより、省エネルギーを図ることが可能となる。なお、図４の処理は、チェックイン時に部屋割を行う場合を例に示しているが、予約時にも同様に実施することができる。ただし、選択部５４１は、ステップＳ１０５において、宿泊者情報が示す宿泊日に予約番号が設定されている部屋割情報から部屋番号を読み出し、読み出した部屋番号の空調を行う系統の情報を空調設備情報から読み出して、稼働中の系統として用いる。また、管理装置５は、ステップＳ１４５の処理を実施しない。
【００３６】
管理装置５の情報収集部５４４は、所定時間毎に熱源機１１、空調機１２及び空調ダクト１３から、それらの電気、ガスなどの消費エネルギー量の情報を取得し、取得日時と対応付けて記憶部５１に書き込む。また、情報収集部５４４は、予約番号と、その予約番号の宿泊について宿泊者が答えたアンケートの結果を取得し、記憶部５１に書き込む。宿泊施設の従業員が入力部５２によりアンケート結果を入力してもよく、宿泊者がコンピュータ端末、スマートホンなどを利用して入力したアンケート結果を、管理装置５がネットワークを介して受信してもよい。
【００３７】
情報出力部５４５は、入力部５２により入力された期間における熱源機１１、空調機１２及び空調ダクト１３それぞれの消費エネルギー量及びそれら消費エネルギー量の合計と、各部屋２０の宿泊状況と、各部屋２０に宿泊した宿泊者のアンケート結果が示す快適性に関する評価とを、表示部５３に表示する。
【００３８】
なお、登録部５４２は、ステップＳ１２５において、条件に合う空き部屋が複数あると判断した場合、空き部屋の部屋詳細情報と、宿泊日に割り当て済みの部屋２０の部屋詳細情報及び宿泊者情報と、チェックインする宿泊者の宿泊者情報とに基づいて、それらの空き部屋に優先度を付与してもよい。宿泊日に割り当て済みの部屋２０の宿泊者情報とは、チェックインする宿泊者の宿泊者情報が示す宿泊日に、割り当て済みの部屋２０に宿泊する宿泊者の宿泊者情報である。登録部５４２は、優先度が高い空き部屋を割り当て候補とする。あるいは、登録部５４２は、条件に合う空き部屋をすべて割り当て候補とし、優先度が高い割り当て候補の部屋と優先度が低い割り当て候補の部屋とで表示の態様を変えて表示部５３に表示してもよい。例えば、優先度が高い割り当て候補の部屋を表す領域を緑で、優先度が低い割り当て候補の部屋を表す領域を黄色で表示する。
【００３９】
例えば、登録部５４２は、ステップＳ１１０で入力された宿泊者情報に女性の宿泊が設定されている場合、割り当て済みの部屋２０の宿泊者情報に女性の宿泊が設定されている割合が他の階よりも多い階の空き部屋を高い優先度と判断する。また例えば、登録部５４２は、ステップＳ１１０で入力された宿泊者情報の名前及び連絡先により記憶部５１が記憶している宿泊者情報を検索し、チェックインする宿泊者が所定期間において宿泊した回数を取得する。登録部５４２は、宿泊した回数が所定以上と判断した場合、上の階の空き部屋又は奥に位置する空き部屋を高い優先度と判断する。また、登録部５４２は、宿泊人数が所定よりも多い場合や、宿泊者に子供又は高齢者が含まれている場合は、エレベータ付近の空き部屋を高い優先度と判断する。
【００４０】
なお、複数の系統の使用率を同等に近くするため、選択部５４１は、稼働中の系統が稼働を開始してから所定期間が経過した場合、その系統をステップＳ１５５における選択順が最後の稼働していない系統としてみなし、図４の処理を行ってもよい。
【００４１】
なお、選択部５４１は、部屋割り対象の宿泊者の宿泊者情報から得られる情報に応じて優先度を高くする空き部屋の傾向をディープラーニングなどにより統計的に学習してもよい。例えば、学習は、過去に部屋割りを行った宿泊者の宿泊者情報と、従業員がその宿泊者に割り当てた部屋２０の位置や向きと、割り当て済みの他の部屋２０の位置や向きと、他の部屋２０の宿泊者情報とに基づいて行われる。
【００４２】
上記では宿泊者に宿泊のための部屋を割り当てる場合を例に説明したが、宿泊以外に利用される会議室等の部屋を利用者に割り当てる場合にも適用できる。
また、一つの系統により空調が行われる複数の部屋２０のうち一部に隣接する部屋２０が含まれてもよい。
【００４３】
上述した管理装置５の機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００４４】
以上説明した少なくともひとつの実施形態によれば、宿泊施設における部屋割りに合わせて複数の部屋の空調を行う熱源機、空調機及び空調ダクトの系統を持つことにより、稼働させる系統の数を低減し、省エネルギーを図ることができる。
また、以上説明した少なくともひとつの実施形態によれば、選択部５４１を持つことにより、現在の部屋割り状況に応じて、稼働させる系統の数をなるべく抑えるように次の宿泊者の部屋割りを行うことができ、省エネルギーを図ることができる。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１…空調システム、５…管理装置、１０…制御装置、１１ａ、１１ｂ…熱源機、１２ａ、１２ｂ…空調機、１３ａ、１３ｂ…空調ダクト、２０−１〜２０−１０…部屋、５１…記憶部、５２…入力部、５３…表示部、５４…管理部、５４１…選択部、５４２…登録部、５４３…指示部、５４４…情報収集部、５４５…情報出力部
【図１】
2019138485.tif 000003
【図２】
2019138485.tif 000004
【図３】
2019138485.tif 000005
【図４】
2019138485.tif 000006